(57)【要約】【課題】ポンプロータと吸入及び吐出ポートとの位置ずれを抑制することができる電動ポンプを提供する。【解決手段】ポンプハウジング１２は、モータロータ１６側に開口されポンプロータ３３が収容される収容凹部２７を有する第１ハウジング部２１と、収容凹部２７を塞ぐ閉塞部３２を有する第２ハウジング部２２とからなり、第１ハウジング部２１の収容凹部２７と第２ハウジング部２２の閉塞部３２とがポンプ室Ｐを構成する。そして、第１ハウジング部２１の収容凹部２７には、オイルをポンプ室Ｐ内に吸入するための吸入ポート４１と、ポンプ室Ｐに吸入されたオイルをポンプ室Ｐ外へ吐出する吐出ポート４２とが形成される。【選択図】図１
2014062482.tif 000002
【特許請求の範囲】
【請求項１】
回転軸と、
前記回転軸の軸方向一端側に設けられたモータロータと、
前記回転軸の軸方向他端側に設けられたポンプロータと、
前記回転軸を回転可能に支持するとともに、前記ポンプロータを保持するポンプハウジングとを備え、
前記ポンプハウジングは、前記モータロータ側に開口されて前記ポンプロータが収容される収容凹部を有する第１ハウジング部と、前記収容凹部を塞ぐ閉塞部を有する第２ハウジング部とからなり、
前記第１ハウジング部の前記収容凹部と前記第２ハウジング部の前記閉塞部とがポンプ室を構成し、
前記第１ハウジング部の前記収容凹部には、流体を前記ポンプ室内に吸入するための吸入ポートと、前記ポンプ室に吸入された流体を前記ポンプ室外へ吐出する吐出ポートとが形成されていることを特徴とする電動ポンプ。
【請求項２】
請求項１に記載の電動ポンプにおいて、
前記ポンプハウジングは、前記第１ハウジング部に設けられた第１軸支持孔と、前記第２ハウジング部に設けられた第２軸支持孔とによって、前記ポンプロータの軸方向両側で前記回転軸を軸支していることを特徴とする電動ポンプ。
【請求項３】
請求項２に記載の電動ポンプにおいて、
前記回転軸は、前記第１及び第２軸支持孔に対して径方向に軸受クリアランスを有して軸支され、
前記ポンプロータは、前記回転軸に一体回転可能に固定されたインナロータと、前記収容凹部に回転可能に収容され前記インナロータと噛合するアウタロータとを有する内接ギヤ式のものであり、
前記インナロータは、前記第１ハウジング部の前記収容凹部及び前記第２ハウジング部の前記閉塞部に対して軸方向に軸方向クリアランスを有して設けられ、
前記軸方向クリアランスは、前記軸受クリアランスにより許容される前記回転軸の傾き量が最大である状態で、前記インナロータと前記収容凹部及び前記閉塞部とが離間されるように設定されていることを特徴とする電動ポンプ。
【請求項４】
請求項１〜３のいずれか１項に記載の電動ポンプにおいて、
前記第１ハウジング部には、前記収容凹部と連なり該収容凹部と同方向に開口する嵌合凹部が設けられ、該嵌合凹部に前記第２ハウジング部が嵌合固定されていることを特徴とする電動ポンプ。
【請求項５】
請求項４に記載の電動ポンプにおいて、
前記嵌合凹部の開口端部には、前記回転軸側に突出して前記第２ハウジング部に軸方向に係止された抜け止め部が一体形成されていることを特徴とする電動ポンプ。
【請求項６】
請求項４又は５に記載の電動ポンプにおいて、
前記モータロータと該モータロータの外周側に配置されたモータステータとを収容する筒状のモータケースを備え、
前記第１ハウジング部は、前記モータケースの開口端部に組み付けられていることを特徴とする電動ポンプ。
【発明の詳細な説明】
【技術分野】
【０００１】
本発明は、電動ポンプに関するものである。
【背景技術】
【０００２】
従来、電動ポンプは、例えば特許文献１に開示されるように、回転軸の軸方向一端側にモータロータが設けられるとともに、回転軸の軸方向他端側にポンプロータが設けられている。モータロータ及びモータステータを収容するモータケースの軸方向一端には、回転軸を回転可能に支持するポンプハウジングが設けられ、このポンプハウジングの反モータケース側の端面には、ポンプロータを収容保持するポンプ室が凹設されている。そして、ポンプハウジングの反モータケース側の端面には、ポンプ室を覆うポンププレートが取り付けられ、そのポンププレートには、ポンプ室内外を連通する吸入ポート及び吐出ポートが形成されている。このような電動ポンプでは、回転軸の回転に基づきポンプロータが回転されると、吸入ポートからポンプ室内にオイルが吸入されるとともに、吐出ポートからポンプ室外に吐出されるようになっている。
【先行技術文献】
【特許文献】
【０００３】
【特許文献１】特開２０１０−１８０７３０号公報
【発明の概要】
【発明が解決しようとする課題】
【０００４】
しかしながら、上記特許文献１のような電動ポンプでは、ポンプハウジングとポンププレートとの組み付けの際にそれらの間に位置ずれが生じると、ポンプハウジング側に設けられたポンプロータの位置と、ポンププレート側に設けられた吸入及び吐出ポートの位置とがずれてしまい、その結果、ポンプロータによるオイルの送給が好適に行われないといった問題があった。
【０００５】
本発明は、上記課題を解決するためになされたものであって、その目的は、ポンプロータと吸入及び吐出ポートとの位置ずれを抑制することができる電動ポンプを提供することにある。
【課題を解決するための手段】
【０００６】
上記課題を解決するために、請求項１に記載の発明は、回転軸と、前記回転軸の軸方向一端側に設けられたモータロータと、前記回転軸の軸方向他端側に設けられたポンプロータと、前記回転軸を回転可能に支持するとともに、前記ポンプロータを保持するポンプハウジングとを備え、前記ポンプハウジングは、前記モータロータ側に開口されて前記ポンプロータが収容される収容凹部を有する第１ハウジング部と、前記収容凹部を塞ぐ閉塞部を有する第２ハウジング部とからなり、前記第１ハウジング部の前記収容凹部と前記第２ハウジング部の前記閉塞部とがポンプ室を構成し、前記第１ハウジング部の前記収容凹部には、流体を前記ポンプ室内に吸入するための吸入ポートと、前記ポンプ室に吸入された流体を前記ポンプ室外へ吐出する吐出ポートとが形成されていることを特徴とする。
【０００７】
この発明では、ポンプハウジングを構成する第１ハウジング部には、ポンプロータを収容する収容凹部が形成され、その収容凹部に吸入及び吐出ポートが形成される。このため、収容凹部を有する第１ハウジング部とその収容凹部を閉塞する第２ハウジング部との間に例えば組み付け誤差が生じても、ポンプロータと吸入及び吐出ポートとの位置関係がずれることが防止され、その結果、流体の送給不具合の発生を抑制することができる。
【０００８】
請求項２に記載の発明は、請求項１に記載の電動ポンプにおいて、前記ポンプハウジングは、前記第１ハウジング部に設けられた第１軸支持孔と、前記第２ハウジング部に設けられた第２軸支持孔とによって、前記ポンプロータの軸方向両側で前記回転軸を軸支していることを特徴とする。
【０００９】
この発明では、回転軸が少なくとも２点（第１及び第２軸支持孔）で支持されるため、回転軸の回転が安定する。また、回転軸において負荷が掛かるポンプロータの軸方向両側がそれぞれ第１及び第２軸支持孔によって軸支されるため、回転軸の回転時における軸ぶれを抑制でき、その結果、軸ぶれに起因する静粛性の悪化を抑えることができる。
【００１０】
請求項３に記載の発明は、請求項２に記載の電動ポンプにおいて、前記回転軸は、前記第１及び第２軸支持孔に対して径方向に軸受クリアランスを有して軸支され、前記ポンプロータは、前記回転軸に一体回転可能に固定されたインナロータと、前記収容凹部に回転可能に収容され前記インナロータと噛合するアウタロータとを有する内接ギヤ式のものであり、前記インナロータは、前記第１ハウジング部の前記収容凹部及び前記第２ハウジング部の前記閉塞部に対して軸方向に軸方向クリアランスを有して設けられ、前記軸方向クリアランスは、前記軸受クリアランスにより許容される前記回転軸の傾き量が最大である状態で、前記インナロータと前記収容凹部及び前記閉塞部とが離間されるように設定されていることを特徴とする。
【００１１】
この発明では、回転軸と第１及び第２軸支持孔との間に軸受クリアランスが設定されるため、回転軸と第１及び第２軸支持孔との間に生じる回転摩擦力を小さく抑えることができる。また、回転軸と一体回転するインナロータ（ポンプロータ）と第１ハウジング部の収容凹部との間、及びインナロータと第２ハウジング部の閉塞部との間に軸方向クリアランスが設定されるため、インナロータが回転時にポンプ室（収容凹部及び閉塞部）と干渉することを抑制することができる。
【００１２】
更に、回転軸と第１及び第２軸支持孔との間の軸受クリアランスに起因してインナロータが傾いた場合であっても、インナロータとポンプ室（収容凹部及び閉塞部）との接触を避けるように軸方向クリアランスが設定されるため、インナロータがポンプ室に接触して異音が生じることを防止することができる。
【００１３】
請求項４に記載の発明は、請求項１〜３のいずれか１項に記載の電動ポンプにおいて、前記第１ハウジング部には、前記収容凹部と連なり該収容凹部と同方向に開口する嵌合凹部が設けられ、該嵌合凹部に前記第２ハウジング部が嵌合固定されていることを特徴とする。
【００１４】
この発明では、第１ハウジング部を基準部材とし、その第１ハウジング部に対して回転軸、ポンプロータ及び第２ハウジング部を一方向に組み付けすることが可能となり、製造工程の簡素化に寄与できる。
【００１５】
請求項５に記載の発明は、請求項４に記載の電動ポンプにおいて、前記嵌合凹部の開口端部には、前記回転軸側に突出して前記第２ハウジング部に軸方向に係止された抜け止め部が一体形成されていることを特徴とする。
【００１６】
この発明では、嵌合凹部の開口端部に一体形成された抜け止め部によって、第２ハウジング部が嵌合凹部から抜け出てしまうことを抑制することができる。また、ボルトや接着剤等を用いずとも第１ハウジング部と第２ハウジング部とを軸方向に固定することが可能となり、電動ポンプの構成の簡素化に寄与できる。
【００１７】
請求項６に記載の発明は、請求項４又は５に記載の電動ポンプにおいて、前記モータロータと該モータロータの外周側に配置されたモータステータとを収容する筒状のモータケースを備え、前記第１ハウジング部は、前記モータケースの開口端部に組み付けられていることを特徴とする。
【００１８】
この発明では、回転軸、ポンプロータ及び第２ハウジング部だけでなくモータケースも基準部材としての第１ハウジング部に対して一方向に組み付けすることが可能となり、製造工程のより一層の簡素化に寄与できる。
【発明の効果】
【００１９】
従って、上記記載の発明によれば、ポンプロータと吸入及び吐出ポートとの位置ずれを抑制することができる。
【図面の簡単な説明】
【００２０】
【図１】実施形態の電動ポンプの断面図である。
【図２】同形態の電動ポンプの平面図である。
【図３】（ａ）（ｂ）同形態の電動ポンプにおける軸受クリアランス及び軸方向クリアランスを説明するための模式図である。
【発明を実施するための形態】
【００２１】
以下、本発明を具体化した一実施形態を図面に従って説明する。
図１に示すように、本実施形態の電動ポンプは、略円筒状のモータケース１１と、モータケース１１の軸方向出力側に設けられたポンプハウジング１２と、モータケース１１の軸方向反出力側に設けられた回路ケース部材１３とを備え、それらから全体の筐体が構成されている。
【００２２】
モータケース１１は、金属製（好ましくは鉄製）であって、その内周面に電機子としての略円筒状のモータステータ１４が固定されている。モータステータ１４の内周側には、ポンプハウジング１２に軸支された回転軸１５に一体回転可能に固定されたモータロータ１６が配置されている。回転軸１５は、モータケース１１の径中心に配置され、回転軸１５の軸線とモータケース１１の軸線とが同軸をなすように構成されている。また、回転軸１５は、非磁性金属であるステンレス鋼よりなる。
【００２３】
モータステータ１４とモータロータ１６とは、インナロータ型のブラシレスモータを構成しており、本実施形態の電動ポンプの動力源である。なお、本実施形態のモータロータ１６は、その外周面がマグネット磁極と突極とで構成され、且つそのマグネット磁極にマグネット１６ａが埋設された所謂ＩＰＭ型のコンシクエントポール型ロータである。
【００２４】
ポンプハウジング１２は、モータケース１１の軸方向出力側の第１開口端部１１ａに組み付けられた第１ハウジング部２１と、その第１ハウジング部２１に組み付けられた第２ハウジング部２２とから構成されている。第１及び第２ハウジング部２１，２２はともに非磁性金属であるアルミニウム合金よりなる。
【００２５】
第１ハウジング部２１は、モータケース１１の外部に位置するベース部２３と、ベース部２３から軸方向に延出されてモータケース１１の第１開口端部１１ａに挿入された略円筒状の挿入部２４とを有している。
【００２６】
図２に示すように、ベース部２３は、モータケース１１の径方向に沿う互いに相反する２方向（図２において左右方向）にそれぞれ延出された延出部２３ａが形成されている。延出部２３ａは、モータケース１１の外径よりも径方向外側に延出されており、この延出部２３ａには、電動ポンプを所定の取付箇所にボルト等で固定するための取付孔２３ｂが形成されている。
【００２７】
図１に示すように、第１ハウジング部２１の挿入部２４は、モータケース１１の第１開口端部１１ａに圧入固定されている。なお、挿入部２４の外周面とモータケース１１の内周面との間にはシールリング２５が介在されており、その間のシール性が確保されている。
【００２８】
挿入部２４は、モータケース１１の軸方向内部側（モータロータ１６側）に開口する略円筒状をなし、その内周側には、径の異なる３つの円形の凹部（嵌合凹部２６、収容凹部２７及び軸支凹部２８（第１軸支持孔））が回転軸１５の軸方向に沿って連続して形成されている。この３つの凹部は、モータケース１１の内部側から嵌合凹部２６、収容凹部２７、軸支凹部２８の順に形成され、その各凹部２６〜２８はモータケース１１の内部側に開口している。
【００２９】
各凹部２６〜２８は軸方向視で円形をなし、それらのうち、嵌合凹部２６が最も径が大きく、収容凹部２７が嵌合凹部２６よりも小径に形成され、更に、軸支凹部２８が収容凹部２７よりも小径に形成されている。つまり、挿入部２４の内周は、嵌合凹部２６、収容凹部２７及び軸支凹部２８を経るにつれて縮径する段差形状をなしている。また、嵌合凹部２６及び軸支凹部２８は回転軸１５と同軸の円形に形成される一方、収容凹部２７は、図１の断面には現れていないが、嵌合凹部２６及び軸支凹部２８（即ち、回転軸１５）に対し偏心した円形（即ち、同軸でない円形）をなしている。
【００３０】
軸支凹部２８は、回転軸１５の軸方向に沿ってベース部２３まで延びている。また、軸支凹部２８は、回転軸１５の軸方向において収容凹部２７側のみが開口しており、軸支凹部２８の収容凹部２７とは反対側の端部は閉塞されている。そして、この軸支凹部２８は、回転軸１５の軸方向出力側（反モータロータ側）の端部を回転可能に支持する。
【００３１】
第１ハウジング部２１の嵌合凹部２６には、第２ハウジング部２２が組み付けられている。第２ハウジング部２２は、回転軸１５の軸線を中心とする略円盤状に形成され、その径中心には、回転軸１５の中間部を回転可能に軸支するための軸支持孔３１（第２軸支持孔）が貫通形成されている。軸支持孔３１は、第１ハウジング部２１の軸支凹部２８と同軸且つ同径に形成されている。
【００３２】
第２ハウジング部２２の反モータロータ側の端部には、第１ハウジング部２１の嵌合凹部２６に対して嵌入される円形の閉塞部３２が形成されている。なお、前記軸支持孔３１は、閉塞部３２の中心を貫通している。また、軸支持孔３１の収容凹部２７側の端部には、切り欠き溝３１ａが形成されている。
【００３３】
閉塞部３２は、その外径側部位が嵌合凹部２６と軸方向に当接するとともに、内径側部位が収容凹部２７のモータロータ１６側の開口を閉塞している。また、閉塞部３２は、嵌合凹部２６の開口端部（モータロータ１６側の端部）から内周側に突出形成された抜け止め部２６ａと軸方向に係止されている。これにより、閉塞部３２の軸方向の移動が規制され、閉塞部３２（第２ハウジング部２２）が嵌合凹部２６から抜け出てしまうことが抑制されている。なお、抜け止め部２６ａは、閉塞部３２が嵌合凹部２６に嵌入された状態で、挿入部２４のモータロータ１６側端面である挿入部端面２４ａの周方向の複数箇所（若しくは周方向全体）を、図示しない治具等で内周側に塑性変形させて形成される。
【００３４】
閉塞部３２と収容凹部２７とはポンプ室Ｐを構成しており、そのポンプ室Ｐにはポンプロータ３３が収容されている。なお、閉塞部３２と嵌合凹部２６との軸方向間には、シールリング３４が介在されており、その間のシール性が確保されている。
【００３５】
ポンプロータ３３は、回転軸１５に一体回転可能に固定されたインナロータ３５と、インナロータ３５の外周に配置されたアウタロータ３６とから構成された内接ギヤ式のものである。
【００３６】
インナロータ３５は、回転軸１５に一体回転可能に固定され、インナロータ３５の外周には外歯（図示略）が形成されている。アウタロータ３６は、外周面が円形の筒状をなし、収容凹部２７に対して回転可能に嵌め込まれている。アウタロータ３６の内周には、インナロータ３５の外歯と噛合する内歯（図示略）が形成されている。なお、アウタロータ３６の内歯の歯数はｎ（ｎは３以上の自然数）個に設定され、インナロータ３５の外歯の歯数はｎ−１個に設定されている。
【００３７】
第２ハウジング部２２のモータロータ１６側の端面には、回転軸１５の軸方向に沿って円筒状に突出する円筒部３７が形成されている。円筒部３７の内径は、軸支持孔３１の径よりも大きく形成されており、この円筒部３７の内周面と回転軸１５の外周面との間には、オイルシール３８が介装されている。オイルシール３８は、円筒部３７の内周面と回転軸１５の外周面との間を封止しており、これにより、ポンプ室Ｐ側の空間とモータケース１１の内部空間とが液密に区画されている。なお、円筒部３７の外径は、モータステータ１４の内径より小さく形成されている。
【００３８】
第１ハウジング部２１の収容凹部２７において、軸支凹部２８の径方向外側位置には、吸入ポート４１及び吐出ポート４２が形成されている。吸入ポート４１及び吐出ポート４２は、収容凹部２７の底面２７ａからベース部２３の底面２３ｃまで貫通形成されている。即ち、吸入ポート４１及び吐出ポート４２は、収容凹部２７の内部と第１ハウジング部２１の外部とを連通している。また、収容凹部２７の底面２７ａには、吐出ポート４２と軸支凹部２８とを連通する切り欠き溝２７ｂが形成されている。切り欠き溝２７ｂは、第２ハウジング部２２側の前記切り欠き溝３１ａと軸方向に対向する位置に形成されている。
【００３９】
モータケース１１において、第１ハウジング部２１の挿入部２４が内嵌される第１開口端部１１ａとは反対側の第２開口端部１１ｂには、樹脂製の回路ケース部材１３が組み付けられている。回路ケース部材１３は、軸方向視でモータケース１１と同軸の円形をなしている。
【００４０】
図２に示すように、回路ケース部材１３の外周面には、周方向に複数（本実施形態では４つ）の係止片５１が設けられている。この各係止片５１がモータケース１１の外周面に設けられた係止凸部５２に係止されることで、回路ケース部材１３がモータケース１１に対して固定されている。なお、第２開口端部１１ｂと回路ケース部材１３との間にはシールリング５０（図１参照）が介在されており、その間のシール性が確保されている。また、回路ケース部材１３には、回路基板５４上の回路部品５５から発生した熱を放熱するためのヒートシンク５３が設けられている。
【００４１】
図１に示すように、回路ケース部材１３には、回路基板５４が例えば熱溶着により固定されている。この回路基板５４には、回路部品５５が実装されるとともに、モータステータ１４のコイル１４ａから引き出されたコイル線１４ｂが接続されている。回路ケース部材１３は、回路基板５４の回路部品５５を覆っている。
【００４２】
上記構成の電動ポンプでは、図示しない外部電源から回路基板５４の回路部品５５を介してモータステータ１４のコイル１４ａに電流が供給されると、モータステータ１４で回転磁界が発生し、その回転磁界に基づいてモータロータ１６及び回転軸１５が回転する。そして、回転軸１５の回転に伴ってポンプロータ３３のインナロータ３５及びアウタロータ３６が回転する。すると、インナロータ３５及びアウタロータ３６のポンプ作用によって、吸入ポート４１を介してポンプ室Ｐ内にオイルが吸入され、そのポンプ室Ｐ内に吸入されたオイルが吐出ポート４２を介してポンプ室Ｐ外（即ち、第１ハウジング部２１の外部）に吐出されるようになっている。
【００４３】
ここで、上記構成では、第１ハウジング部２１の軸支凹部２８と第２ハウジング部２２の軸支持孔３１の２点で回転軸１５が軸支されているため、回転軸１５の回転が安定する。更に、軸支凹部２８及び軸支持孔３１は、負荷が掛かるポンプロータ３３の軸方向両側に設けられている（所謂、両持ちである）ため、回転軸１５の回転時における軸ぶれが抑制されるようになっている。
【００４４】
また、図３（ａ）に示すように、回転軸１５と軸支凹部２８との間、及び回転軸１５と軸支持孔３１との間には、径方向の軸受クリアランスＣ１が設定されている。つまり、回転軸１５は、軸支凹部２８及び軸支持孔３１に対して径方向に軸受クリアランスＣ１を有して軸支されている。これにより、回転軸１５と軸支凹部２８及び軸支持孔３１との間に生じる回転摩擦力が小さく抑えられている。なお、図３（ａ）（ｂ）では、軸受クリアランスＣ１と、後述する軸方向クリアランスＣ２を誇張して図示しており、また、ポンプロータ３３のアウタロータ３６の図示を省略している。
【００４５】
また、インナロータ３５と収容凹部２７の底面２７ａとの間、及びインナロータ３５と閉塞部３２のポンプ室Ｐを構成する内面３２ａとの間には、軸方向クリアランスＣ２が設けられている。つまり、インナロータ３５は、ポンプ室Ｐの軸方向両側の内面に対して軸方向クリアランスＣ２を空けて設けられているため、インナロータ３５が回転時にポンプ室Ｐ（収容凹部２７及び閉塞部３２）に干渉してしまうことが抑制されている。
【００４６】
上記の軸受クリアランスＣ１は、回転軸１５と軸支凹部２８及び軸支持孔３１との摩擦を抑える反面、軸支凹部２８及び軸支持孔３１に対する回転軸１５の傾きを許容してしまう。そして、回転軸１５が傾くとインナロータ３５も傾くため、インナロータ３５の端部が収容凹部２７の底面２７ａ及び閉塞部３２の内面３２ａに接近して干渉する虞がある。
【００４７】
そこで、本実施形態では、図３（ｂ）に示すように、軸受クリアランスＣ１に起因する回転軸１５の傾き量が最大である状態においても、インナロータ３５と収容凹部２７の底面２７ａ、及びインナロータ３５と閉塞部３２の内面３２ａとが離間されるように、軸方向クリアランスＣ２の大きさが設定されている。これにより、軸受クリアランスＣ１に起因して回転軸１５が傾いても、インナロータ３５とポンプ室Ｐ（収容凹部２７及び閉塞部３２）との接触が回避されるようになっている。
【００４８】
また、軸受クリアランスＣ１には、吸入ポート４１からポンプ室Ｐ内に吸入されたオイルの一部が流れ込み、軸支凹部２８及び軸支持孔３１の潤滑油として作用する。ここで、ポンプ室Ｐ内のオイルが吐出ポート４２から吐出される正圧側（図１における右側）では、軸受クリアランスＣ１内のオイルが不足しがちである。そこで、本実施形態では、正圧側（吐出ポート４２側）のポンプロータ３３の軸方向両側に前記切り欠き溝２７ｂ，３１ａを形成しており、その切り欠き溝２７ｂ，３１ａ内にオイルが保持されるため、正圧側においても軸受クリアランスＣ１内のオイルが不足することが抑制されている。
【００４９】
本実施形態の電動ポンプの組み付けでは、第１ハウジング部２１を組み付けの基準部材とし、各凹部２６〜２８の開口方向が例えば鉛直方向上側を向くように、第１ハウジング部２１を図示しない作業台に移動不能に設置する。
【００５０】
次に、アウタロータ３６を収容凹部２７に対して鉛直方向下側に組み付けて収容する。その後、インナロータ３５、第２ハウジング部２２、オイルシール３８、回転軸１５及びモータロータ１６（マグネット１６ａを組み付け後のもの）を組み付けて構成されたサブアッセンブリを、第１ハウジング部２１に対して前記アウタロータ３６の組付方向と同方向（即ち、鉛直方向下側）に組み付ける。また、モータケース１１も第１ハウジング部２１の挿入部２４に対して上記部品と同一方向に組み付けられる。
【００５１】
次に、本実施形態の作用について説明する。
ポンプロータ３３を収容する収容凹部２７が形成された第１ハウジング部２１に吸入ポート４１及び吐出ポート４２が形成されることで、第１ハウジング部２１と第２ハウジング部２２との間に組み付け誤差等による軸直交方向への位置ずれが生じても、ポンプロータ３３と吸入ポート４１及び吐出ポート４２との位置関係がずれることが防止される。その結果、オイルの送給不具合の発生が抑制されるようになっている。
【００５２】
また、本実施形態とは異なり、ポンプ室Ｐを構成する収容凹部を第１ハウジング部２１側ではなく、第２ハウジング部２２側にモータケース１１の軸方向外側（反モータロータ側）に開口するように設けた構成では、基準部材としての第１ハウジング部２１に対して他の部品を同一方向に組み付ける場合、第１ハウジング部２１に対するアウタロータ３６の軸直交方向の位置決めが困難となる。
【００５３】
その点、本実施形態のように、ポンプロータ３３（アウタロータ３６）を収容する収容凹部２７を基準部材としての第１ハウジング部２１に形成することで、アウタロータ３６を収容凹部２７に嵌め込むだけで、そのアウタロータ３６の軸直交方向への位置決めがなされる。このため、第１ハウジング部２１に対する他部品の同一方向への組み付けを容易に実現でき、その結果、組み付け性が向上されるようになっている。
【００５４】
次に、本実施形態の特徴的な効果を記載する。
（１）ポンプハウジング１２は、モータロータ１６側に開口されポンプロータ３３が収容される収容凹部２７を有する第１ハウジング部２１と、収容凹部２７を塞ぐ閉塞部３２を有する第２ハウジング部２２とからなり、第１ハウジング部２１の収容凹部２７と第２ハウジング部２２の閉塞部３２とがポンプ室Ｐを構成する。そして、第１ハウジング部２１の収容凹部２７には、オイルをポンプ室Ｐ内に吸入するための吸入ポート４１と、ポンプ室Ｐに吸入されたオイルをポンプ室Ｐ外へ吐出する吐出ポート４２とが形成される。このため、収容凹部２７を有する第１ハウジング部２１とその収容凹部２７を閉塞する第２ハウジング部２２との間に例えば組み付け誤差が生じても、ポンプロータ３３と吸入ポート４１及び吐出ポート４２との位置関係がずれることが防止され、その結果、オイルの送給不具合の発生を抑制することができる。
【００５５】
（２）ポンプハウジング１２は、第１ハウジング部２１に形成された軸支凹部２８と、第２ハウジング部２２に設けられた軸支持孔３１とによって、ポンプロータ３３の軸方向両側で回転軸１５を軸支している。これにより、回転軸１５において負荷が掛かるポンプロータ３３の軸方向両側がそれぞれ軸支凹部２８及び軸支持孔３１によって軸支されるため、回転軸１５の回転時における軸ぶれを抑制でき、その結果、軸ぶれに起因する静粛性の悪化を抑えることができる。
【００５６】
（３）回転軸１５と軸支凹部２８及び軸支持孔３１との間に軸受クリアランスＣ１が設定されるため、回転軸１５と軸支凹部２８及び軸支持孔３１との間に生じる回転摩擦力を小さく抑えることができる。
【００５７】
また、ポンプロータ３３を構成するインナロータ３５と収容凹部２７との間、及びインナロータ３５と閉塞部３２との間に軸方向クリアランスＣ２が設定されるため、インナロータ３５が回転時にポンプ室Ｐ（収容凹部２７及び閉塞部３２）に干渉してしまうことを抑制することができる。
【００５８】
更に、軸方向クリアランスＣ２は、軸受クリアランスＣ１により許容される回転軸１５の傾き量が最大である状態で、インナロータ３５と収容凹部２７及び閉塞部３２とが離間されるように設定される。これにより、回転軸１５と軸支凹部２８及び軸支持孔３１との間の軸受クリアランスＣ１に起因してインナロータ３５が傾いた場合であっても、インナロータ３５とポンプ室Ｐ（収容凹部２７及び閉塞部３２）との接触が回避される。このため、インナロータ３５がポンプ室Ｐに接触して異音が生じることを防止することができる。
【００５９】
（４）第１ハウジング部２１には、収容凹部２７と連なり該収容凹部２７と同方向に開口する嵌合凹部２６が形成され、その嵌合凹部２６に第２ハウジング部２２が嵌合固定される。これにより、第１ハウジング部２１を基準部材とし、その第１ハウジング部２１に対して回転軸１５、ポンプロータ３３及び第２ハウジング部２２を一方向に組み付けすることが可能となり、製造工程の簡素化に寄与できる。
【００６０】
（５）嵌合凹部２６の開口端部には、回転軸１５側（内周側）に突出して閉塞部３２（第２ハウジング部２２）に軸方向に係止された抜け止め部２６ａが一体形成され、この抜け止め部２６ａによって第２ハウジング部が嵌合凹部２６から抜け出てしまうことを抑制することができる。また、第２ハウジング部２２に対する塑性変形加工によって抜け止め部２６ａが形成されるため、ボルトや接着剤等を用いずとも第１ハウジング部２１と第２ハウジング部２２とを軸方向に固定することが可能となり、電動ポンプの構成の簡素化に寄与できる。
【００６１】
（６）モータロータ１６と該モータロータ１６の外周側に配置されたモータステータ１４とを収容する筒状のモータケース１１を備え、第１ハウジング部２１は、モータケース１１の第１開口端部１１ａに組み付けられる。これにより、回転軸１５、ポンプロータ３３及び第２ハウジング部２２だけでなくモータケース１１も、基準部材としての第１ハウジング部２１に対して一方向に組み付けすることが可能となり、製造工程のより一層の簡素化に寄与できる。
【００６２】
（７）第１及び第２ハウジング部２１，２２が非磁性体（本実施形態ではアルミニウム合金）よりなるため、モータステータ１４及びモータロータ１６からなるブラシレスモータの磁束変動を抑えることができる。
【００６３】
なお、本発明の実施形態は、以下のように変更してもよい。
・上記実施形態では、第２ハウジング部２２が第１ハウジング部２１の嵌合凹部２６に圧入固定されたが、これ以外に例えば、ボルトや接着剤等によって固定してもよい。
【００６４】
・上記実施形態では、第１ハウジング部２１には回転軸１５を軸支する軸支凹部２８が形成されたが、これに特に限定されるものではなく、軸支凹部２８を省略し、回転軸１５が第２ハウジング部２２の軸支持孔３１のみで軸支された構成としてもよい。
【００６５】
・上記実施形態では、ポンプロータ３３をインナロータ３５とアウタロータ３６とからなる内接ギヤ式としたが、これに特に限定されるものではなく、流体を吸入・排出することができれば、内接ギヤ式以外のタイプのポンプロータに変更してもよい。
【００６６】
・上記実施形態では、モータケース１１が第１ハウジング部２１に固定される構成としたが、これ以外に例えば、モータケース１１が第２ハウジング部２２に固定される構成としてもよい。
【００６７】
・上記実施形態では、モータロータ１６をＩＰＭ型のコンシクエントポール型ロータとしたが、これに限らず、コンシクエント型でないタイプ（Ｎ極・Ｓ極のマグネットを周方向に交互に配置したタイプ）のロータや、ＳＰＭ型のロータを用いてもよい。
【００６８】
・上記実施形態では、オイル用の電動ポンプに具体化したが、オイル以外の流体を送給する用途に用いる電動ポンプに具体化してもよい。
【符号の説明】
【００６９】
１１…モータケース、１１ａ…第１開口端部（開口端部）、１２…ポンプハウジング、１４…モータステータ、１５…回転軸、１６…モータロータ、２１…第１ハウジング部、２２…第２ハウジング部、２６…嵌合凹部、２６ａ…抜け止め部、２７…収容凹部、２８…軸支凹部（第１軸支持孔）、３１…軸支持孔（第２軸支持孔）、３２…閉塞部、３３…ポンプロータ、３５…インナロータ、３６…アウタロータ、４１…吸入ポート、４２…吐出ポート、Ｐ…ポンプ室、Ｃ１…軸受クリアランス、Ｃ２…軸方向クリアランス。
【図１】
2014062482.tif 000003
【図２】
2014062482.tif 000004
【図３】
2014062482.tif 000005